(57)【要約】【課題】対物レンズと光記録媒体との衝突を防止できる機能を有し、更に光記録媒体を損傷することがない簡易な構成の対物レンズアクチュエータを提供する。【解決手段】対物レンズアクチュエータの対物レンズホルダ１３の上部には、光記録媒体９と対物レンズ７の衝突を防止する衝突防止部材２２が設けられる。衝突防止部材２２は、対物レンズホルダ１３と固着する固着部２２ａと、固着部２２ａから光記録媒体９の回転方向と同方向に所定量傾いて光記録媒体９が配置される方向に延びる傾斜部２２ｂと、傾斜部２２ｂから延び、光記録媒体９の記録面と略平行となる面を有して光記録媒体と接触することがある接触部２２ｃと、から成り、光記録媒体９と接触した時に、対物レンズホルダ１３側に撓むように形成されている。【選択図】図５
2007200418.tif 000002
【特許請求の範囲】
【請求項１】
光源と、
該光源から出射された光束を光記録媒体の記録面に集束する対物レンズと、
該対物レンズの光軸方向に延びる空洞部を有し、前記対物レンズを前記空洞部の前記光記録媒体側で保持する対物レンズホルダと、該対物レンズホルダを磁力によって駆動するための磁気回路と、を有し、前記対物レンズホルダの前記対物レンズが保持される側には、前記対物レンズホルダから突出して前記対物レンズと前記光記録媒体との衝突を防止する衝突防止部材が設けられる対物レンズアクチュエータと、
を備える光ピックアップ装置において、
前記衝突防止部材は、少なくとも２つ設けられて前記対物レンズを挟んで略対称な位置に配置され、また、前記対物レンズホルダと固着する固着部と、該固着部から前記光記録媒体に対して所定量傾いて前記光記録媒体の回転方向と同方向に延びる傾斜部と、該傾斜部から延び、前記記録面と略平行となる面を有して前記光記録媒体と接触することがある接触部と、から成って、前記光記録媒体と接触した際に、前記対物レンズホルダ側に撓むように形成されることを特徴とする光ピックアップ装置。
【請求項２】
対物レンズと、該対物レンズの光軸方向に延びる空洞部を有し、前記対物レンズを前記空洞部の光記録媒体側で保持する対物レンズホルダと、該対物レンズホルダを磁力によって駆動するための磁気回路と、を備え、
前記対物レンズホルダの前記対物レンズが保持される側には、前記対物レンズホルダから突出して前記対物レンズと前記光記録媒体との衝突を防止する衝突防止部材が設けられる対物レンズアクチュエータにおいて、
前記衝突防止部材に、前記衝突防止部材と前記光記録媒体との接触による前記光記録媒体の損傷を防止する光記録媒体損傷防止機構を設けたことを特徴とする対物レンズアクチュエータ。
【請求項３】
前記光記録媒体損傷防止機構は、前記衝突防止部材と前記光記録媒体とが接触した時に、前記衝突防止部材が前記対物レンズホルダ側に撓む機構であることを特徴とする請求項２に記載の対物レンズアクチュエータ。
【請求項４】
前記衝突防止部材の前記光記録媒体との接触時に前記対物レンズホルダ側に撓む部分は、前記光記録媒体の回転に伴う前記光記録媒体と前記衝突防止部材との接触圧の上昇を抑制する向きに配置されることを特徴とする請求項３に記載の対物レンズアクチュエータ。
【請求項５】
前記衝突防止部材は、前記対物レンズホルダと固着する固着部と、該固着部から前記光記録媒体に対し所定量傾いて前記光記録媒体の回転方向と同方向に延びる傾斜部と、該傾斜部から延び、前記光記録媒体の記録面と略平行となる面を有して前記光記録媒体と接触することがある接触部と、から成ることを特徴とする請求項４に記載の対物レンズアクチュエータ。
【請求項６】
前記衝突防止部材の先端部にローラが設けられ、
前記ローラは、前記衝突防止部材が前記光記録媒体と接触した時に、前記光記録媒体の回転に伴って回転するように形成されることを特徴とする請求項２に記載の対物レンズアクチュエータ。
【請求項７】
前記衝突防止部材の先端部は翼状に形成され、
前記翼状に形成される先端部は、前記光記録媒体の回転に伴う空気の流れによって前記対物レンズホルダ方向に力を受けるように配置されることを特徴とする請求項２に記載の対物レンズアクチュエータ。
【請求項８】
前記衝突防止部材は少なくとも２つ設けられ、前記対物レンズを挟んで略対称な位置に配置されることを特徴とする請求項２から請求項７のうちのいずれか１項に記載の対物レンズアクチュエータ。
【請求項９】
請求項２から請求項８のうちのいずれか１項に記載の対物レンズアクチュエータを備えることを特徴とする光ピックアップ装置。
【発明の詳細な説明】
【技術分野】
【０００１】
本発明は、光記録媒体に光ビームを照射して情報の記録や情報の読み取りを可能とする光ピックアップ装置に搭載される対物レンズアクチュエータに関し、特に対物レンズと光記録媒体との衝突を防止できる対物レンズアクチュエータの構造に関する。また、本発明は、そのような対物レンズアクチュエータを備える光ピックアップ装置に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化されつつある。
【０００３】
このような光記録媒体の記録再生を行うにあたっては、光記録媒体に光ビームを照射して情報の記録や情報の読み取りを可能とする光ピックアップ装置が用いられるが、ＢＤのような高密度化された光記録媒体について、光ピックアップ装置を用いて情報の記録や情報の読み取りを行う場合、光ピックアップ装置に備えられる光源の波長を短くし（ＢＤでは、例えば４０５ｎｍ）、更に対物レンズの開口数（ＮＡ）を大きくして（ＢＤでは、例えばＮＡ＝０．８５）、光源から出射される光ビームが光記録媒体上に形成する光ビームのスポットサイズを小さくする必要がある。そして、このように対物レンズの開口数を大きくした場合、光ピックアップ装置により光記録媒体の情報の記録再生を行う際の対物レンズ先端と光記録媒体との間隔（ワーキングディスタンス；ＷＤ）が非常に狭くなる。
【０００４】
ところで、光ピックアップ装置においては、光記録媒体の面振れ等によらず、光源から出射される光ビームの焦点が常に光記録媒体の記録面に合うように、対物レンズアクチュエータにより、対物レンズを駆動することによって、対物レンズと光記録媒体との位置関係を一定に制御する。以下、このような制御をフォーカスサーボと表現することがある。
【０００５】
しかし、上述のように、近年の光ピックアップ装置においては、ＷＤが非常に狭くなる傾向に有り、例えば、光記録媒体上の傷や外部からの振動によりフォーカスサーボが外れた場合に、対物レンズと光記録媒体とが衝突する可能性が非常に高くなっている。このようなことから、従来、対物レンズと光記録媒体の衝突によって、光記録媒体に記録される情報が使えなくなったり、対物レンズが損傷して光ピックアップ装置が使用できなくなったりするのを防止するために、様々な技術が提案されている。
【０００６】
例えば、特許文献１においては、対物レンズのフランジに突起状の緩衝部を設け、これにより対物レンズと光記録媒体とが直接接触するのを防止する技術を提案している。また、特許文献２においては、対物レンズを移動可能とする対物レンズ駆動装置（対物レンズアクチュエータ）が備える対物レンズホルダの上面に、弾性接着剤で形成した突起状のレンズ衝突防止部材を配置し、これにより対物レンズと光記録媒体とが衝突するのを防止する技術が提案されている。
【０００７】
また、特許文献３においては、基部に固着される弾性部材により支持され、光記録媒体の回転により光記録媒体に対して浮上する浮上型スライダーを光記録媒体と対物レンズホルダとの間に配置し、対物レンズと光記録媒体との衝突を防止する技術を提案している。更に、特許文献４においては、光記録媒体に配設した磁性層の磁界、もしくは光記録媒体を挟んで対物レンズと反対側に配設した磁性体又は磁界発生手段の磁界と、フォーカス用のアクチュエータコイルによる磁界、もしくは対物レンズ保持部に配置された磁性体又は磁界発生手段と、の斥力により、対物レンズと光記録媒体との衝突を防止する技術について提案されている。
【０００８】
しかしながら、特許文献１や２に提案される構成の場合、突起状に設けられる緩衝部又はレンズ衝突防止部材が光記録媒体に接触した際に、接触時の衝撃や回転している光記録媒体との摩擦力のために、光記録媒体の表面に傷が生じるという問題があった。この点、特許文献３や特許文献４の構成の場合には、基本的には光記録媒体が対物レンズやレンズ衝突防止部材等と接触することがないため、特許文献１や２の場合と比べて光記録媒体の表面に傷が発生し難い。
【０００９】
しかし、特許文献３の構成のように基部に機械的ストッパーを設ける構成の場合には、特許文献１や２の場合に比べて衝突防止用に設ける部材の構成が大きくなるために、光ピックアップ装置を組み立てる際に、ストッパーの位置の調整が難しくなるといった欠点がある。また、弾性部材に支持された浮上型スライダーは、揺動し易く動作が安定し難いために、光記録媒体と衝突する可能性が高いという欠点もある。
【００１０】
また、特許文献４の構成の場合、光記録媒体の構成が複雑となるか、又は光記録媒体を挟んで対物レンズと反対側に磁性体等を配設する構成であるために、装置の大型化に繋がるといった問題等がある。
【特許文献１】特開２００３−２１７１６３号公報
【特許文献２】特開平５−１０９０９８号公報
【特許文献３】特開２００２−３７３４３９号公報
【特許文献４】特開２００３−１５７５７７号公報
【発明の開示】
【発明が解決しようとする課題】
【００１１】
以上の点を鑑みて、本発明の目的は、対物レンズと光記録媒体との衝突を防止できる機能を有し、更に光記録媒体を損傷することがない簡易な構成の対物レンズアクチュエータを提供することである。また、本発明の他の目的は、対物レンズ及び光記録媒体への損傷が発生しにくい対物レンズアクチュエータを備えることにより、情報の記録再生を安定して行える光ピックアップ装置を提供することである。
【課題を解決するための手段】
【００１２】
上記目的を達成するために本発明は、光源と、該光源から出射された光束を光記録媒体の記録面に集束する対物レンズと、該対物レンズの光軸方向に延びる空洞部を有し、前記対物レンズを前記空洞部の前記光記録媒体側で保持する対物レンズホルダと、該対物レンズホルダを磁力によって駆動するための磁気回路と、を有し、前記対物レンズホルダの前記対物レンズが保持される側には、前記対物レンズホルダから突出して前記対物レンズと前記光記録媒体との衝突を防止する衝突防止部材が設けられる対物レンズアクチュエータと、を備える光ピックアップ装置において、前記衝突防止部材は、少なくとも２つ設けられて前記対物レンズを挟んで略対称な位置に配置され、また、前記対物レンズホルダと固着する固着部と、該固着部から前記光記録媒体に対して所定量傾いて前記光記録媒体の回転方向と同方向に延びる傾斜部と、該傾斜部から延び、前記記録面と略平行となる面を有して前記光記録媒体と接触することがある接触部と、から成って、前記光記録媒体と接触した際に、前記対物レンズホルダ側に撓むように形成されることを特徴としている。
【００１３】
また、上記目的を達成するために本発明は、対物レンズと、該対物レンズの光軸方向に延びる空洞部を有し、前記対物レンズを前記空洞部の光記録媒体側で保持する対物レンズホルダと、該対物レンズホルダを磁力によって駆動するための磁気回路と、を備え、前記対物レンズホルダの前記対物レンズが保持される側には、前記対物レンズホルダから突出して前記対物レンズと前記光記録媒体との衝突を防止する衝突防止部材が設けられる対物レンズアクチュエータにおいて、前記衝突防止部材に、前記衝突防止部材と前記光記録媒体との接触による前記光記録媒体の損傷を防止する光記録媒体損傷防止機構を設けたことを特徴としている。
【００１４】
また、本発明は、上記構成の対物レンズアクチュエータにおいて、前記光記録媒体損傷防止機構は、前記衝突防止部材と前記光記録媒体とが接触した時に、前記衝突防止部材が前記対物レンズホルダ側に撓む機構であることを特徴としている。
【００１５】
また、本発明は、上記構成の対物レンズアクチュエータにおいて、前記衝突防止部材の前記光記録媒体との接触時に前記対物レンズホルダ側に撓む部分は、前記光記録媒体の回転に伴う前記光記録媒体と前記衝突防止部材との接触圧の上昇を抑制する向きに配置されることを特徴としている。
【００１６】
また、本発明は、上記構成の対物レンズアクチュエータにおいて、前記衝突防止部材は、前記対物レンズホルダと固着する固着部と、該固着部から前記光記録媒体に対し所定量傾いて前記光記録媒体の回転方向と同方向に延びる傾斜部と、該傾斜部から延び、前記光記録媒体の記録面と略平行となる面を有して前記光記録媒体と接触することがある接触部と、から成ることを特徴としている。
【００１７】
また、本発明は、上記構成の対物レンズアクチュエータにおいて、前記衝突防止部材の先端部にローラが設けられ、前記ローラは、前記衝突防止部材が前記光記録媒体と接触した時に、前記光記録媒体の回転に伴って回転するように形成されることを特徴としている。
【００１８】
また、本発明は、上記構成の対物レンズアクチュエータにおいて、前記衝突防止部材の先端部は翼状に形成され、
前記翼状に形成される先端部は、前記光記録媒体の回転に伴う空気の流れによって前記対物レンズホルダ方向に力を受けるように配置されることを特徴としている。
【００１９】
また、本発明は、上記構成の対物レンズアクチュエータにおいて、前記衝突防止部材は少なくとも２つ設けられ、前記対物レンズを挟んで略対称な位置に配置されることを特徴としている。
【００２０】
また、本発明は、上記構成の対物レンズアクチュエータを備える光ピックアップ装置であることを特徴としている。
【発明の効果】
【００２１】
本発明の第１の構成によれば、衝突防止部材は、対物レンズと光記録媒体の衝突を防止するばかりではなく、衝突防止部材と光記録媒体とが接触した時に、衝突防止部材が撓むように構成されているために、衝突防止部材と光記録媒体との間の接触時の衝撃を緩和し、衝突防止部材と光記録媒体との接触圧を低減することができる。そして、撓む部分が光記録媒体の回転に伴う光記録媒体と衝突防止部材との接触圧の上昇を抑制する向きに配置されているために、光記録媒体に過大な負荷がかかり難い。このため、光ピックアップ装置が備える対物レンズと光記録媒体とのいずれもについて損傷する可能性が低減され、情報の記録再生を安定して行える光ピックアップ装置を提供することが可能となる。
【００２２】
また、本発明の第２の構成によれば、衝突防止部材は、対物レンズと光記録媒体の衝突を防止するばかりではなく、衝突防止部材と光記録媒体との接触による光記録媒体の損傷を防止する機構をも有しているために、対物レンズの損傷を防止できるばかりでなく、光記録媒体の損傷も防止することが可能となる。
【００２３】
また、本発明の第３の構成によれば、上記第２の構成の対物レンズアクチュエータにおいて、衝突防止部材が光記録媒体に接触した時に、対物レンズホルダ側に撓むために、衝突防止部材と対物レンズホルダとが接触した時の衝撃が緩和され、また、衝突防止部材と光記録媒体との接触圧を低減することが可能となる。このため、両者の接触が発生しても光記録媒体の損傷が発生し難くなる。
【００２４】
また、本発明の第４の構成によれば、上記第３の構成の対物レンズアクチュエータにおいて、衝突防止部材と光記録媒体とが接触し、光記録媒体が回転を続けても光記録媒体へ過大な負荷がかかり難く、光記録媒体の損傷を防止しやすい。
【００２５】
また、本発明の第５の構成によれば、上記第４の構成の対物レンズアクチュエータにおいて、光記録媒体の損傷が発生しにくい衝突防止部材の構成を簡易な構成で実現できる。
【００２６】
また、本発明の第６の構成によれば、上記第２の構成の対物レンズアクチュエータにおいて、衝突防止部材と光記録媒体とが接触しても、光記録媒体の回転に合わせて衝突防止部材に設けられるローラが回転するために、衝突防止部材と光記録媒体との間で起こる摩擦力が低減され、両者の接触が発生しても光記録媒体の損傷は発生しにくい。
【００２７】
また、本発明の第７の構成によれば、上記第２の構成の対物レンズアクチュエータにおいて、光記録媒体が回転している場合には、先端部が翼状に形成される衝突防止部材は、対物レンズホルダ方向に力を受けるために、衝突防止部材と光記録媒体との接触を回避するか、又は両者が接触しても、その際の衝撃を緩和できる。このため、光記録媒体が損傷する可能性は低い。
【００２８】
また、本発明の第８の構成によれば、上記第２から第７のいずれかの構成の対物レンズアクチュエータにおいて、衝突防止部材の効果を発揮しやすい配置であるため、光記録媒体を損傷する可能性を更に低減できる。
【００２９】
また、本発明の第９の構成によれば、上記第２から第８のいずれかの構成の対物レンズアクチュエータを備える光ピックアップ装置において、対物レンズ及び光記録媒体の損傷が発生しにくいため情報の記録再生を安定して行うことが可能となる。
【発明を実施するための最良の形態】
【００３０】
以下に本発明の実施形態を、図面を参照しながら説明する。なお、ここで示す実施形態は一例であり、本発明はここに示す実施形態に限定されるものではない。
【００３１】
図１は、本発明の対物レンズアクチュエータを備える光ピックアップ装置の光学系を示す概略図である。図１において、１は光ピックアップ装置で、例えば、ＣＤ、ＤＶＤ、ＢＤ等の光記録媒体９に対して、光ビームを照射して反射光を受光することにより光記録媒体９の記録面９ａに記録されている情報を読み取ったり、光記録媒体９に光ビームを照射して記録面９ａに情報を書き込んだりすることを可能とする装置である。この光ピックアップ装置１の光学系は、例えば、光源２と、ビームスプリッタ３と、コリメートレンズ４と、立ち上げミラー５と、１／４波長板６と、対物レンズ７と、光検出器８と、を備えている。以下に、各光学素子の詳細を説明する。
【００３２】
光源２は、半導体レーザで構成されており、光ピックアップ装置１が例えば、ＢＤ用の光ピックアップ装置である場合には、光源２は、例えば４０５ｎｍ帯の光ビームを出射する。また、光ピックアップ装置１がＣＤ用又はＤＶＤ用のものであれば、例えば、光源２はそれぞれ７８０ｎｍ帯、６５０ｎｍ帯の光ビームを出射する。
【００３３】
なお、本実施形態においては、単一の波長を有する光源を１つだけ配置する構成としているが、これに限定される趣旨ではなく、例えば、単一の波長を有する光源を複数個配置する構成等としても構わない。また、光源として、例えば２波長１パッケージタイプの光源を用いる構成等としても構わない。
【００３４】
ビームスプリッタ３は、光ビームを分離する分離素子として機能し、光源２から出射された光ビームを透過して光記録媒体側９へと導くとともに、光記録媒体９で反射された反射光を反射して光検出器８へと導く。ビームスプリッタ３を透過した光ビームは、コリメートレンズ４に送られる。
【００３５】
コリメートレンズ４は、ビームスプリッタ３を透過した光ビームを平行光に変換するレンズである。ここで、平行光とは、光源２から出射された光ビームの全ての光路が光軸とほぼ平行である光をいう。コリメートレンズ４を透過した平行光は、立ち上げミラー５に送られる。
【００３６】
立ち上げミラー５は、コリメートレンズ４を透過してきた光ビームを反射して光記録媒体９へと導く。立ち上げミラー５は、コリメートレンズ４からの光ビームの光軸に対して４５°傾いた状態となっており、立ち上げミラー５で反射された光ビームの光軸は、光記録媒体９の記録面９ａと略直交する。立ち上げミラー５で反射された光ビームは、１／４波長板６へと送られる。
【００３７】
１／４波長板６は、光源２から出射され、立ち上げミラー５で反射された直線偏光の光ビームを円偏光へと変換する。１／４波長板６を透過した光ビームは、対物レンズ７へと送られる。
【００３８】
対物レンズ７は、１／４波長板６を透過した光ビームを光記録媒体９の記録面９ａ上に集光させる。対物レンズ７の開口数（ＮＡ）は、光ピックアップ装置１がＢＤ用の場合は、例えばＮＡ＝０．８５とされる。また、光ピックアップ装置１が、例えば、ＣＤ用、ＤＶＤ用の場合には、それぞれ、ＮＡ＝０．５、ＮＡ＝０．６５とされる。この対物レンズ７は、後述する対物レンズアクチュエータに搭載されており、所定の方向に移動できるように構成されている。
【００３９】
光記録媒体９で反射された反射光は、対物レンズ７、１／４波長板６を透過する。１／４波長板６を透過する反射光は、直線偏光に変換されるが、この際、直線偏光の偏光角は、光源２から出射される光ビームの偏光角と９０°ずれている。１／４波長板６を透過した反射光は、立ち上げミラー５で反射され、コリメートレンズ４を通過した後のビームスプリッタ３で反射されて光検出器８の受光部（図示せず）に到達する。
【００４０】
光検出器８は、受光した光情報を電気信号に変換して、例えば、図示しないＲＦアンプ等に出力する。そして、この電気信号は、記録面９ａに記録されているデータの再生信号として、更には、フォーカス制御やトラッキング制御を行うためのサーボ制御用の信号として用いられる。
【００４１】
次に、光ピックアップ装置１が備える第１実施形態の対物レンズアクチュエータ１１の詳細について、図２から図４を参照しながら説明する。ここで、図２は、第１実施形態の対物レンズアクチュエータ１１の構成を示す概略上面図、図３は、第１実施形態の対物レンズアクチュエータ１１の構成を示す概略側面図、図４は、図３のＡ−Ａ断面図である。
【００４２】
対物レンズアクチュエータ１１は、大きくは、強磁性を有する金属性のベース部材１２と、樹脂成型品の対物レンズホルダ１３と、より構成される。ベース部材１２のほぼ中央には、光源２(図１参照)からの光ビームを通過させる貫通穴（図示せず）が形成され、詳細は後述する対物レンズホルダ１３が配置される。また、ベース部材１２上には、対物レンズホルダ１３を挟むように所定間隔をあけて相互に対向する一対の永久磁石１４ａ、１４ｂが立設されている。これらの各永久磁石１４ａ、１４ｂは、それぞれの外面がベース部材１２から折曲形成された突片１２ａ、１２ｂに磁着されることで、ベース部材１２と磁性的に一体化された状態で固定される。
【００４３】
更にベース部材１２には、永久磁石１４ａ、１４ｂの間に、これらの永久磁石１４ａ、１４ｂの対向方向とほぼ直角な方向で対向する一対のヨーク１５ａ、１５ｂが立設されている。これらの各ヨーク１５ａ、１５ｂは、ベース部材１２から折曲形成されて成る。ここで、各ヨーク１５ａ、１５ｂは、各永久磁石１４ａ、１４ｂから磁束を有効に引き込んで、主として、両者の間に配置される後述のフォーカス用コイル１６、トラッキング用コイル１７ａ、１７ｂに高密度の磁束を与え、これにより、対物レンズホルダ１３の駆動効率を高める役割を担う。
【００４４】
対物レンズホルダ１３は、その中央部に上下方向（図２における紙面方向）に延びる空洞部２３が形成され、空洞部の上部に設けられる対物レンズ保持部（図示せず）に対物レンズ７が搭載される。なお、対物レンズ７は、その光軸が上下方向と平行となるように搭載される。対物レンズ７を挟んで左右にヨーク１５ａ、１５ｂが貫通している。
【００４５】
この対物レンズホルダ１３の側壁の内側には、対物レンズ７の光軸を取り巻くようにフォーカス用コイル１６が設けられ、対物レンズホルダ１３に対して接着剤等で固着されている。また、対物レンズホルダ１３の側壁のうちの各永久磁石１４ａ、１４ｂと対向する両側壁の外側には、それぞれトラッキング用コイル１７ａ、１７ｂが接着剤等で固着されている。これらの各トラッキング用コイル１７ａ、１７ｂは、それぞれヨーク１５ａ、１５ｂと対向するように左右に一対ずつ（図２参照）形成され、全体として１本の線で繋がっている。
【００４６】
また、ベース部材１２上には、一方の永久磁石１４ｂが磁着された突片１２ｂの外面側に、ポリカーボネート等の樹脂成型品のゲルホルダ１８が固定され、更にそのゲルホルダ１８の外側に隣接して回路基板１９が立設されている。この回路基板１９には、左右両側（図２参照）において、それぞれ上下方向（図３参照）に２箇所ずつ、導電性を有するワイヤ２０ａ、２０ｂ、２０ｃ、２０ｄの各一端がハンダ付けにて接続されている。これらの４本の各ワイヤ２０ａ〜２０ｄは、回路基板１９への接続箇所に対応した位置、すなわち左右両側においてそれぞれ上下方向に２箇所ずつゲルホルダ１８に形成された各貫通孔２１ａ、２１ｂ、２１ｃ、２１ｄを挿通している。
【００４７】
更に、各ワイヤ２０ａ〜２０ｄは、対物レンズホルダ１３の左右両側から突出する突条１３ａ、１３ｂに接着剤等で接合され、これにより、対物レンズホルダ１３は、各ワイヤ２０ａ〜２０ｄによってベース部材１２に対して揺動可能に支持される。そして、上段の各ワイヤ２０ａ、２０ｃの他端は、フォーカス用コイル１６にハンダ付けにて接続され、下段のワイヤ２０ｂ、２０ｄの他端は、トラッキング用コイル１７ａ、１７ｂにハンダ付けにて接続されている。
【００４８】
また、各ワイヤ２０ａ〜２０ｄが挿通されたゲルホルダ１８の各貫通孔２１ａ〜２１ｄ内には、シリコンを主成分とするゲル材が充填されている。ここでゲル材は、低粘度のゲル材（ゾル）がゲルホルダ１８の各貫通孔２１ａ〜２１ｄに注入された後、所定時間の紫外線照射によってゲル状に硬化したものである。そして、このゲルホルダ１８は、対物レンズホルダ１３の駆動に応じて各ワイヤ２０ａ〜２０ｄに生じた振動をゲル材によって減衰し、抑制する役目を果たす。
【００４９】
このように構成される対物レンズアクチュエータ１１において、回路基板１９からワイヤ２０ａ、２０ｃを通じてフォーカス用コイル１６に電流が供給されると、ベース部材１２、永久磁石１４ａ、１４ｂ及びヨーク１５ａ、１５ｂによって形成される磁気回路との電磁気的な作用により、対物レンズホルダ１３は図２の紙面方向（図３の上下方向）に駆動可能となる。このため、フォーカス用コイル１６に供給する電流の大きさ及び向きを調整することで対物レンズ７のフォーカス方向の調整が可能となる。
【００５０】
また、回路基板１９からワイヤ２０ｂ、２０ｄを通じてトラッキング用コイル１７ａ、１７ｂに電流が供給されると、ベース部材１２、永久磁石１４ａ、１４ｂ及びヨーク１５ａ、１５ｂによって形成される磁気回路との電磁気的な作用により、対物レンズホルダ１３は、図２の左右方向（図３の紙面方向）に駆動可能となる。このため、トラッキング用コイル１７ａ、１７ｂに供給する電流の大きさ及び向きを調整することで対物レンズ７のトラッキング方向（光記録媒体９の半径方向）の調整が可能となる。
【００５１】
なお、本実施形態の対物レンズアクチュエータ１１は、対物レンズ７をフォーカス方向とトラッキング方向との２方向にのみ移動する構成となっているが、この２方向への移動以外に、例えば、コマ収差の補正を行う目的で、対物レンズ７を立ち上げミラー５（図１参照）で反射された光ビームの光軸に対して傾けることができるように、チルト用のコイルを設ける構成等としても構わない。
【００５２】
第１実施形態の対物レンズアクチュエータ１１においては、図２、図３に示すように、対物レンズ７のフォーカス方向の調整時等に、対物レンズ７と光記録媒体９とが衝突するのを防止する衝突防止部材２２が対物レンズホルダ１３に設けられている。なお、本実施形態においては、衝突防止部材２２を、対物レンズ７を挟んで対称な位置に２つ設ける構成としているが、この構成に限る趣旨ではない。すなわち、本発明の目的を逸脱しない範囲で、例えば、対物レンズ７を挟んで対称な位置に４つ以上の偶数個の衝突防止部材２２を設ける構成等とすることも可能であるし、また、必ずしも衝突防止部材２２を対物レンズ７に対して正確に対称な位置に配置しなくても良い。
【００５３】
図５は、第１実施形態の対物レンズホルダ１３に設けられる衝突防止部材２２の構成を更に詳細に説明するための図で、図２におけるＢ−Ｂ断面の一部を示した図である。なお、図５においては、説明の便宜上、光記録媒体９も記載している。衝突防止部材２２は、対物レンズホルダ１３に固着するための固着部２２ａと、固着部２２ａから斜め上方に延びる傾斜部２２ｂと、傾斜部２２ｂから略水平方向（光記録媒体９の記録面９ａと略平行な方向）に延びて、光記録媒体９と接触することがある接触部２２ｃと、から成る。
【００５４】
固着部２２ａには図示しないリブ穴が設けられており、このリブ穴に対物レンズホルダ１３に立設されるリブ２４（図２参照）を貫通することで、衝突防止部材２２は対物レンズホルダ１３に固定される。傾斜部２２ｂは、光記録媒体９の回転方向（図５における矢印の方向）下流側に行くほど記録面９ａに近づくように所定の傾きを持った状態で形成され、更に対物レンズ７より衝突防止部材２２の接触部２２ｃが高い位置となるように、その高さが調整される。固着部２２ａ、傾斜部２２ｂ、及び接触部２２ｃから成る衝突防止部材２２は、例えば、ポリアセタール等の樹脂製の部材で一体的に形成される。
【００５５】
衝突防止部材２２は、上述のように対物レンズ７と光記録媒体９が衝突しないように設けられるが、この衝突防止部材２２は、更に、光記録媒体９と衝突防止部材２２とが接触することによって光記録媒体９が損傷するのを防止する光記録媒体損傷防止機構を有している。すなわち、衝突防止部材２２に光記録媒体９が接触した場合、衝突防止部材２２は、傾斜部２２ｂの存在のために下方（対物レンズホルダ１３側）に撓む。このため、衝突防止部材２２と光記録媒体９とが接触した時の接触圧を低減し、光記録媒体９の損傷を防止する。
【００５６】
また、衝突防止部材２２は、下方に撓むように構成されていることに加えて、傾斜部２２ｃが光記録媒体９の回転方向と同方向に傾斜する構成としているために、衝突防止部材２２と光記録媒体９が接触した状態で光記録媒体９が回転を続けても、光記録媒体９と衝突防止部材２２との接触圧の上昇を抑制でき、光記録媒体９に過大な負荷がかかり難い。このため、光記録媒体９の損傷をより低確率とする。
【００５７】
なお、衝突防止部材２２は、衝突防止部材２２が光記録媒体９と接触して撓んだ場合にも光記録媒体９と対物レンズ７とが衝突することがないように、その高さの調整や部材の選定等が行われている。
【００５８】
また、第１実施形態においては、衝突防止部材２２を樹脂製の部材で形成する構成としているが、これに限られる趣旨ではない。すなわち、例えば、銅等の金属製の部材とする構成等としても構わない。
【００５９】
また、衝突防止部材２２が、対物レンズホルダ側に撓む構成は、第１実施形態の構成のものに限定される趣旨ではなく、本発明の目的を逸脱しない範囲で種々の変形が可能である。すなわち、例えば、図６に示すような衝突防止部材２２を設ける構成等としても構わない。図６における衝突防止部材２２は、対物レンズホルダ１３に固着するための固着部２２ａと、固着部２２ａから光記録媒体９の回転方向と同方向に延びて浮いた状態となっている平板部２２ｄと、平板部２２ｄ上に設けられる球面形状の突起部２２ｅと、から成る。
【００６０】
この構成では、光記録媒体９が対物レンズ７と接近すると、突起部２２ｅが光記録媒体９と接触し、平板部２２ｄが下方に撓むことによって、光記録媒体９と衝突防止部材２２が接触した時の衝撃を緩和する。そして、平板部２２ｄが光記録媒体９の回転方向と同方向に延びて浮いた状態となっているために、衝突防止部材２２と光記録媒体９が接触した状態で光記録媒体９が回転を続けても、光記録媒体９と衝突防止部材２２との接触圧の上昇を抑制でき、光記録媒体９に過大な負荷がかかり難い。このため、光記録媒体９の損傷をより低確率とする。
【００６１】
また、第１実施形態の他の構成として、図５における衝突防止部材２２の傾斜部２２ｂを光記録媒体９の回転方向と逆方向に傾ける構成等としても構わない。この場合でも、衝突防止部材２２は光記録媒体９との接触時の衝撃を緩和することが可能である。そして、この場合には、光記録媒体９と衝突防止部材２２とが接触した状態で光記録媒体９が回転を続けることで、光記録媒体９と衝突防止部材２２との接触圧が増大し、光記録媒体９に大きな負荷がかかる可能性があるが、この点については、例えば、光記録媒体９と衝突防止部材２２が接触した時点で対物レンズアクチュエータ１１が対物レンズ７を光記録媒体９から離れる方向に即動かす構成とする等の対応策を講じることもできる。
【００６２】
次に、光ピックアップ装置１が備える対物レンズアクチュエータ１１の第２実施形態について説明する。第２実施形態の対物レンズアクチュエータ１１は、衝突防止部材２２の構成を除いて第１実施形態の対物レンズアクチュエータ１１と同様であるため、構成が異なる衝突防止部材２２の構成についてのみ説明する。なお、第１実施形態と同一の部材については、同一の符号を付して説明する。
【００６３】
図７は、第２実施形態の対物レンズアクチュエータ１１の衝突防止部材２２周辺を拡大して示した概略断面図である。なお、説明の便宜上、光記録媒体９も記載している。図７に示すように、衝突防止部材２２は、支持部２２ｆと、支軸２２ｈと、ローラ２２ｇと、から成る。支持部２２ｆは、ローラ２２ｇを挟むように対向配置されて（図７においては紙面方向手前の支持部２２ｆのみ見え、紙面方向奥側の支持部２２ｆは見えていない）、対物レンズホルダ１３に固設される。各支持部２２ｆには、支軸２２ｈを支える軸受け（図示せず）が設けられる。
【００６４】
支軸２２ｈは、ローラ２２ｇの中心を貫通しており、支持部２２ｆに回転可能に保持される。ローラ２２ｇは、光記録媒体９の回転方向を考慮して、図の矢印Ｃの方向に回転可能に配置される。このような構成される衝突防止部材２２は、その高さが対物レンズ７の先端部より高く形成されているために、対物レンズ７と光記録媒体９との衝突を防止することができる。そして、第２実施形態の衝突防止部材２２も第１実施形態の場合と同様に、光記録媒体９と衝突防止部材２２とが接触することによって光記録媒体９が損傷するのを防止する光記録媒体損傷防止機構を有している。
【００６５】
すなわち、衝突防止部材２２と光記録媒体９とが接触すると、衝突防止部材２２の先端側に設けられるローラ２２ｇが、光記録媒体９の回転に伴って矢印Ｃ方向に回転するために、衝突防止部材２２と光記録媒体９との間に発生する摩擦が低減され、光記録媒体９と衝突防止部材２２との摩擦による光記録媒体９の損傷を防止できる。
【００６６】
なお、衝突防止部材２２にローラ２２ｇを設けて、光記録媒体９の損傷を防止する構成は、第２実施形態の構成に限定される趣旨ではなく、本発明の目的を逸脱しない範囲で種々の変更が可能である。すなわち、衝突防止部材２２を構成する支持部材２２ｆの軸受け部分に弾性部材を配置して、光記録媒体９が衝突防止部材２２に接触した時に、ローラ２２ｇに貫通する支軸２２ｈが対物レンズホルダ１３側に沈み込むようにして、光記録媒体９と衝突防止部材２２との接触による衝撃を緩和できる構成等としても構わない。
【００６７】
次に、光ピックアップ装置１が備える対物レンズアクチュエータ１１の第３実施形態について説明する。第３実施形態の対物レンズアクチュエータ１１は、衝突防止部材２２の構成を除いて第１実施形態の対物レンズアクチュエータ１１と同様であるため、構成が異なる衝突防止部材２２の構成についてのみ説明する。なお、第１実施形態と同一の部材については、同一の符号を付して説明する。
【００６８】
図８は、第３実施形態の対物レンズアクチュエータ１１の衝突防止部材２２周辺を拡大して示した概略断面図である。なお、説明の便宜上、光記録媒体９も記載している。図８に示すように、衝突防止部材２２は、支持部２２ｆと、翼状に形成された先端部２２ｉと、から成る。支持部２２ｆは対物レンズホルダ１３に固設され、支持部２２ｆの先端側に翼状の部材（翼状に形成された先端部２２ｉ）が配置される。この際、翼状に形成された先端部２２ｉは、光記録媒体の回転によっておきる空気の流れについて、光記録媒体９側に比べ対物レンズホルダ１３側で空気の流れが速くなるように配置される。
【００６９】
このような構成される衝突防止部材２２は、その高さが対物レンズ７の先端部より高く形成されているために、対物レンズ７と光記録媒体９との衝突を防止することができる。そして、第３実施形態の衝突防止部材２２も第１実施形態の場合と同様に、光記録媒体９と衝突防止部材２２とが接触することによって光記録媒体９が損傷するのを防止する光記録媒体損傷防止機構を有している。
【００７０】
すなわち、光記録媒体９の回転による空気の流れにより（図８中に矢印で示す）、対物レンズホルダ１３が光記録媒体９に接近した場合には、衝突防止部材２２の翼状の先端部２２ｉは、空気密度の小さい対物レンズホルダ１３方向に力を受ける。このため、光記録媒体９と衝突防止部材２２は接触を回避することが可能となる。また、光記録媒体９と衝突防止部材２２が接触するようなことがあっても、衝突防止部材２２は対物レンズホルダ１３方向に力を受けているために、光記録媒体９と衝突防止部材２２が接触する時の衝撃は緩和される。従って、第３実施形態の衝突防止材２２の存在により、光記録媒体９の損傷を防止することが可能となる。
【００７１】
なお、以上に示した実施形態における対物レンズアクチュエータ１１は、対物レンズ７を保持する対物レンズホルダ１３が、複数本のワイヤ（金属線）によってベース部材１２に対して揺動可能に支持された、いわゆるワイヤ支持方式のアクチュエータとしているが、これに限定される趣旨ではなく、例えば、軸摺動型の二軸アクチュエータ等であっても、本発明はもちろん適用可能である。
【産業上の利用可能性】
【００７２】
本発明は、対物レンズと、対物レンズの光軸方向に延びる空洞部を有し、対物レンズを空洞部の一方の端部側で保持する対物レンズホルダと、対物レンズホルダを磁力によって駆動するための磁気回路と、を備え、対物レンズホルダの対物レンズが保持される側には、対物レンズホルダから突出して対物レンズと光記録媒体との衝突を防止する衝突防止部材が設けられる対物レンズアクチュエータにおいて、衝突防止部材に、衝突防止部材と光記録媒体との接触による光記録媒体の損傷を防止する光記録媒体損傷防止機構を設けることとする。
【００７３】
このため、衝突防止部材は、対物レンズと光記録媒体の衝突を防止するばかりではなく、衝突防止部材と光記録媒体との接触による光記録媒体の損傷を防止する機構をも有しているために、対物レンズの損傷を防止できるばかりでなく、光記録媒体の損傷も防止することが可能となる。
【００７４】
また、衝突防止部材と光記録媒体とが接触した時に、衝突防止部材が対物レンズホルダ側に撓むように形成することで、光記録媒体と衝突防止部材とが接触した時の接触圧を低減でき、光記録媒体の損傷を防止することが可能となる。
【００７５】
また、衝突防止部材の先端部にローラを設け、ローラを、衝突防止部材と光記録媒体とが接触した時に、光記録媒体の回転に伴って回転するように形成することで、光記録媒体と衝突防止部材との接触時の摩擦力を緩和できる。
【００７６】
また、衝突防止部材の先端部を翼状に形成し、翼状に形成される先端部を、光記録媒体の回転に伴う空気の流れによって対物レンズホルダ方向に力を受けるように配置することで、光記録媒体と衝突防止部材の接触を回避、又は両者が接触した場合の衝撃を緩和することができる。
【００７７】
また、上記の対物レンズアクチュエータを備える光ピックアップ装置は、対物レンズ及び光記録媒体の損傷が発生しにくいため情報の記録再生を安定して行うことが可能となる。
【図面の簡単な説明】
【００７８】
【図１】は、本実施形態における光ピックアップ装置の光学系の構成を示す概略図である。
【図２】は、第１実施形態の対物レンズアクチュエータの構成を示す概略上面図である。
【図３】は、第１実施形態の対物レンズアクチュエータの構成を示す概略側面図である。
【図４】は、図３のＡ−Ａ断面図である。
【図５】は、第１実施形態の対物レンズアクチュエータの衝突防止部材周辺を拡大して示した概略断面図である。
【図６】は、本発明の対物レンズアクチュエータの変形例を示す概略断面図である。
【図７】は、第２実施形態の対物レンズアクチュエータの衝突防止部材周辺を拡大して示した概略断面図である。
【図８】は、第３実施形態の対物レンズアクチュエータの衝突防止部材周辺を拡大して示した概略断面図である。
【符号の説明】
【００７９】
１            光ピックアップ装置
２            光源
７            対物レンズ
９            光記録媒体
９ａ          記録面
１１          対物レンズアクチュエータ
２２          衝突防止部材
２２ａ        固着部
２２ｂ        傾斜部
２２ｃ        接触部
２２ｇ        ローラ
２２ｉ        翼状に形成された先端部
２３          空洞部
【図１】
2007200418.tif 000003
【図２】
2007200418.tif 000004
【図３】
2007200418.tif 000005
【図４】
2007200418.tif 000006
【図５】
2007200418.tif 000007
【図６】
2007200418.tif 000008
【図７】
2007200418.tif 000009
【図８】
2007200418.tif 000010